(57)【要約】  【課題】背幅を通常状態から拡幅させて取り扱う上で有用な構造を備え、しかも拡幅時に綴じ杆が脆弱となることを有効に防止した新規有用な綴じ具を提供する。  【解決手段】一対の押さえ片５１の一方より突出させたパイプ５３と他方より突出させた軸５４とを嵌合させて背幅に応じた嵌合深さの綴じ杆５ｘを形成するパイプ式のものであり、背幅を拡幅させた状態で既設パイプ５３からの軸５４の突出部分を覆うように当該既設パイプ５３に延長パイプ５５を嵌合して綴じ杆５ｘを延長させるようにした。  【選択図】図１６
2008044157.tif 000002
【特許請求の範囲】
【請求項１】
一対の押さえ片の一方より突出させたパイプと他方より突出させた軸とを嵌合させて背幅に応じた嵌合深さの綴じ杆を形成するパイプ式のものであって、背幅を拡幅させた状態で既設パイプから突出する軸部分を覆うように当該既設パイプに延長パイプを嵌合して綴じ杆を延長させてなることを特徴とする綴じ具。
【請求項２】
延長パイプは、半径方向に弾性変形可能に設けられ、同方向に弾性的に拡径しながら既設パイプに外嵌されるものである請求項１記載の綴じ具。
【請求項３】
延長パイプの一部に凹凸関連部を設ける一方、嵌合位置における既設パイプの対応部位に前記凹凸関連部と係り合い可能な凹凸関連部を設けている請求項２記載の綴じ具。
【請求項４】
既設パイプの押さえ片側の端部近傍に外向きに凹となる凹凸関連部を設けるとともに、延長パイプの対応部位である嵌合始端側に内向きに凸となる凹凸関連部を設ける場合において、前記延長パイプの凹凸関連部近傍に、当該凹凸関連部及びその周辺部の半径方向への弾性変形を容易にする変形誘発部を形成している請求項３記載の綴じ具。
【請求項５】
既設パイプの押さえ片とは反対側の端部近傍に外向きに凹となる凹凸関連部を設けるとともに、延長パイプの対応部位である嵌合終端部位に内向きに凸となる凹凸関連部を設け、この凹凸関連部が延長パイプ本来の弾性変形によって既設パイプの凹凸関連部に係り合うようにしている請求項３記載の綴じ具。
【請求項６】
既設パイプの押さえ片とは反対側の端部近傍に鈎型の切欠からなる凹凸関連部を設けるとともに、延長パイプの対応部位である嵌合終端部位に内向きに凸となる凹凸関連部を設け、延長パイプを差し込んだ後に円周方向に回転させることによって、その凹凸関連部が既設パイプの凹凸関連部に係り合うようにしている請求項３記載の綴じ具。
【請求項７】
延長パイプのうち既設パイプと実質的に嵌合しない延長部分の内側に、延長パイプの内径を狭める狭窄部を設けている請求項１〜６記載の綴じ具。
【請求項８】
狭窄部が、延長パイプの長手方向に沿って延びる複数の内向きの突条である請求項７記載の綴じ具。
【請求項９】
延長パイプが薄板鋼鈑を円筒状に塑性変形加工したものであり、長手方向に沿った縁部間を開きつつ弾性変形するように構成している請求項１〜８記載の綴じ具。
【請求項１０】
請求項１〜９記載の綴じ具を構成する延長パイプ。
【請求項１１】
表表紙及び裏表紙の内縁に一対の背幅調節部を連ねて設け、これらの背幅調節部を接離方向に沿って背板にスライド可能に配置することにより異なる背幅位置をとらしめるように構成するとともに、ベース部を介して一対の押さえ片を、各々対応する背幅調節部に少なくとも一方の押さえ片が着脱可能であるように取り付け、これらの押さえ片の一方より突出させたパイプと他方より突出させた軸とを嵌合させて背幅に応じた嵌合深さの綴じ杆を形成するようにしたパイプ式の綴じ具を具備してなるものであって、背幅調節に伴って開閉する位置に格納空間を設け、この格納空間に既設パイプに嵌合することによって綴じ杆を延長し得る延長パイプを格納して、背幅を拡幅した際にその格納空間を開放して延長パイプを取り出し得るようにしたことを特徴とするファイル。
【請求項１２】
背幅調節部の背板に対する可動範囲を規制するとともに、少なくとも他方の押さえ片とベース部との間に回転軸を設け、一方の押さえ片を拡幅前の位置にあるベース部から外して延長パイプを装着した状態で他方の押さえ片側の回転軸回りに一方の押さえ片を回転させることによって、その回転軌跡上において一方の押さえ片を最大拡幅位置にあるベース部に装着し得るようにしている請求項１１記載のファイル。
【請求項１３】
拡幅位置で背幅調節部を背板に固定する固定具を具備するとともに、少なくとも他方の押さえ片とベース部との間に回転軸を設け、一方の押さえ片を拡幅前の位置にあるベース部から外して延長パイプを装着した状態で他方の押さえ片側の回転軸回りに一方の押さえ片を回転させることによって、その回転軌跡上において一方の押さえ片を拡幅後の位置にあるベース部に装着し得るようにしている請求項１１又は１２記載のファイル。
【発明の詳細な説明】
【技術分野】
【０００１】
本発明は、比較的大量の紙葉類を綴じ込むことが予定される場合等に特に有効となる綴じ具、延長パイプ及びファイルに関するものである。
【背景技術】
【０００２】
この種の綴じ杆を用いた従来のファイルとして、例えば特許文献１に示すようなパイプ式綴じ具を具備するものが知られている。このものは、表表紙及び裏表紙の内縁に一対の背幅調節部を連ねて設け、これらの背幅調節部を接離方向に沿って背板にスライド可能に配置することにより異なる背幅位置をとらしめるように構成している。そして、ベース部を介して一対の押さえ片を、各々対応する背幅調節部に少なくとも一方の押さえ片が着脱可能であるように取り付け、これらの押さえ片の一方より突出させたパイプと他方より突出させた軸とを嵌合させて、背幅に応じた嵌合深さの綴じ杆を形成し得るようにしている。
【特許文献１】特開２００５−１３２０６５
【発明の開示】
【発明が解決しようとする課題】
【０００３】
ところで、この種のファイルを取り扱う際には、背表紙を上にして表表紙と裏表紙を掴むように握ったり、棚等の保管場所に対して背表紙の両縁を摘んで出し入れしたりするものである。しかしながら、かかる特許文献１の綴じ具は単に綴じ杆を一時的に伸張させるだけのものであるため、同綴じ具はあくまで閲覧性の向上に止まり、実質的な綴じ込み量を可変とするものではない。このことは、表表紙側の押さえ片を抜き取って紙葉類の加除作業を行うときに綴じ込んでいる紙葉類が多いとパイプの長さが不足して紙葉類が散乱してしまうことからも明らかである。また、閲覧時にも、パイプと軸の間に段差が出来るため、引っ掛かり易いという不都合は拭えない。そして、予め多くの紙葉類の綴じ込みが予定される場合には、最初から背幅の幅広なものを使用せざるを得ないため、収容量が少なくても保管場所に配置した際に多くのデッドスペースを生む原因となる。
【０００４】
本発明は、このような課題に着目してなされたものであって、背幅を通常状態から拡幅させて取り扱う上で有用な構造を備え、しかも拡幅時に綴じ杆が脆弱になること等を有効に防止した新規有用な綴じ具、延長パイプ並びにこれらを取り込んだファイルを提供しようとするものである。
【課題を解決するための手段】
【０００５】
本発明は、かかる目的を達成するために、次のような手段を講じたものである。
【０００６】
すなわち、本発明の綴じ具は、一対の押さえ片の一方より突出させたパイプと他方より突出させた軸とを嵌合させて背幅に応じた嵌合深さの綴じ杆を形成するパイプ式のものであって、背幅を拡幅させた状態で既設パイプから突出する軸部分を覆うように当該既設パイプに延長パイプを嵌合して綴じ杆を延長させてなることを特徴とする。
【０００７】
このような構成のものであると、延長パイプを取り付けている間は綴じ杆が元の長さに戻ることがないので、背幅を拡幅し実質的な綴じ込み量を増大したファイルとして安定に使用することができる。この場合、延長パイプを用いずとも既設パイプから軸が突出した状態で一対の押さえ片間の距離を固定できれば綴じ杆の長さを一定に保持することは一応可能であるが、綴じ杆の途中に段差ができると閲覧時に紙葉類が引っ掛かり易く、強度上も不十分となり易い。これに対して、本発明のように軸を確実に覆う状態で延長パイプを一対の押さえ片の間に亘らせれば、円滑な閲覧性を確保し、紙葉類の散乱も防止できると同時に、強度低下も有効に解消することができる。
【０００８】
簡単な構造で所要の強度を確保するためには、延長パイプを半径方向に弾性変形可能に設け、同方向に弾性的に拡径しながら既設パイプに外嵌されるように構成することが有効である。
【０００９】
延長パイプが既設パイプから外れることを有効に防止するためには、延長パイプの一部に凹凸関連部を設ける一方、嵌合位置における既設パイプの対応部位に前記凹凸関連部と係り合い可能な凹凸関連部を設けておくことが望ましい。
【００１０】
この場合、既設パイプの押さえ片側の端部近傍に外向きに凹となる凹凸関連部を設けるとともに、延長パイプの対応部位である嵌合始端側に内向きに凸となる凹凸関連部を設ける態様の下では、操作抵抗を低減するために、前記延長パイプの凹凸関連部近傍に、当該凹凸関連部及びその周辺部の半径方向への弾性変形を容易にする変形誘発部を形成しておくことが好ましい。
【００１１】
或いは、紙葉類の加除操作に支障がなければ、既設パイプの押さえ片とは反対側の端部近傍に外向きに凹となる凹凸関連部を設けるとともに、延長パイプの対応部位である嵌合終端部位に内向きに凸となる凹凸関連部を設け、この凹凸関連部が延長パイプ本来の弾性変形によって既設パイプの凹凸関連部に係り合うようにしても構わない。
【００１２】
同じく、紙葉類の加除操作に支障がない場合であって、かつ平易な操作力で的確な延長パイプの外れ止め効果を得るためには、既設パイプの押さえ片とは反対側の端部近傍に鈎型の切欠からなる凹凸関連部を設けるとともに、延長パイプの対応部位である嵌合終端部位に内向きに凸となる凹凸関連部を設け、延長パイプを差し込んだ後に円周方向に回転させることによって、その凹凸関連部が既設パイプの凹凸関連部に係り合うように構成することも有効である。
【００１３】
延長パイプの開口から軸を挿入する際の操作を容易にするためには、延長パイプのうち既設パイプと実質的に嵌合しない延長部分の内側に、延長パイプの内径を狭める狭窄部を設けておくことが効果的である。
【００１４】
このような狭窄部を平易に実現するためには、当該狭窄部を延長パイプの長手方向に沿って延びる複数の内向きの突条としておくことが好ましい。
【００１５】
延長パイプに半径方向の弾性を簡単、的確に付与するためには、薄板鋼鈑を円筒状に塑性変形加工することによって当該延長パイプを構成し、長手方向に沿った縁部間を開きつつ弾性変形する構造にしておくことが有効である。
【００１６】
以上のような綴じ具を利用すれば、次のように背幅調整容易で使用状態の安定したファイルを構成することができる。
【００１７】
すなわち、このファイルは、表表紙及び裏表紙の内縁に一対の背幅調節部を連ねて設け、これらの背幅調節部を接離方向に沿って背板にスライド可能に配置することにより異なる背幅位置をとらしめるように構成するとともに、ベース部を介して一対の押さえ片を、各々対応する背幅調節部に少なくとも一方の押さえ片が着脱可能であるように取り付け、これらの押さえ片の一方より突出させたパイプと他方より突出させた軸とを嵌合させて背幅に応じた嵌合深さの綴じ杆を形成するようにしたパイプ式の綴じ具を具備してなるものであって、背幅調節に伴って開閉する位置に格納空間を設け、この格納空間に既設パイプに嵌合することによって綴じ杆を延長し得る延長パイプを格納して、背幅を拡幅した際にその格納空間を開放して延長パイプを取り出し得るようにしたことを特徴とする。
【００１８】
つまり、延長パイプを取り付けている間は綴じ杆が元の長さに戻ることがないので、背幅を拡幅し実質的な綴じ込み量を増大したファイルとして安定に使用することができる。延長パイプを用いずとも既設パイプから軸が突出した状態で背幅調節部を固定すれば綴じ杆の長さを一定に保持することは一応可能であるが、綴じ杆の途中に段差ができると強度上も不十分となり易い。これに対して、軸を確実に覆う状態で延長パイプを一対の押さえ片の間に亘らせれば、強度低下も有効に防止することができる。そして、予め多くの紙葉類の綴じ込みが予定される場合にも、綴じ込み量が少ない間は背幅を幅狭に調整しておけば棚等の保管場所に多くのデッドスペースが生じることを有効に解消することができ、拡幅する際には背幅調節部をスライドさせることによって格納空間から延長パイプを取り出して速やかに作業を行うことができるので、使い勝手にも優れたものとなる。
【００１９】
この場合、背幅調節部の背板に対する可動範囲を規制するとともに、少なくとも他方の押さえ片とベース部との間に回転軸を設け、一方の押さえ片を拡幅前の位置にあるベース部から外して延長パイプを装着した状態で他方の押さえ片側の回転軸回りに一方の押さえ片を回転させることによって、その回転軌跡上において一方の押さえ片を最大拡幅位置にあるベース部に装着し得るようにしておくことが好ましい。
【００２０】
すなわち、延長パイプを用いずとも既設パイプから軸が突出した状態で先に拡幅、固定した背幅調節部のベース部に一方の押さえ片を取り付けるようにすることも可能であるが、これだと強度の問題はさておき、回転させつつ押さえ片とベース部の位置合わせを行わなければならないため、作業的に煩雑である。これに対して、延長パイプを用いると綴じ杆が一定の拡幅寸法に保たれるので、背幅調節部を最大拡幅位置にまでスライドさせておき、これに対して綴じ杆ともども一方の押さえ片を他方の押さえ片側の回転軸回りに回転させれば、自ずと一方の押さえ片と対応する背幅調節部のベース部の位置とが合致することになる。このため、上記の作業を極めて簡易に行うことが可能となる。勿論、この状態において、背幅調節部は最大拡幅位置からの移動が綴じ杆によって禁止されるので、ファイルの背幅は一定に保持されることとなる。
【００２１】
或いは、拡幅位置で背幅調節部を背板に固定する固定具を具備するとともに、少なくとも他方の押さえ片とベース部との間に回転軸を設け、一方の押さえ片を拡幅前の位置にあるベース部から外して延長パイプを装着した状態で他方の押さえ片側の回転軸回りに一方の押さえ片を回転させることによって、その回転軌跡上において一方の押さえ片を拡幅後の位置にあるベース部に装着し得るようにしていることが望ましい。
【００２２】
このように、固定具を用いて背幅調節部を拡幅位置に固定するようにすると、上記と同様の作用効果が奏される上に、所要の背幅位置での安定度を向上させることができる。しかも、この場合は固定具の固定箇所に応じて延長パイプを複数本用意すれば、拡幅位置を複数設定することもできるので、多段拡幅機能を備えたファイルも容易に構成することができるようになる。
【発明の効果】
【００２３】
本発明は、以上説明した構成であるから、背幅を通常状態から拡幅させて取り扱う上で有用な構造を備え、しかも拡幅時に綴じ杆が脆弱となることや閲覧性が低下すること等を有効に防止した新規有用な綴じ具、延長パイプ並びにこれらを取り込んだファイルを提供することが可能となる。
【発明を実施するための最良の形態】
【００２４】
以下、本発明の一実施形態を、図面を参照して説明する。
【００２５】
図１及び図２に示す本実施形態のファイルは、内縁に背幅調節部１、２を連ねて設けた表表紙Ａ及び裏表紙Ｂと、これらの背幅調節部１、２をバックアップする背板３と、これらの背幅調節部１、２を接離方向に沿って背板３にスライド可能に取り付ける取付機構４とを具備してなるファイル本体Ｆに、パイプ式の綴じ具５を設けたものである。
【００２６】
具体的に説明すると、表表紙Ａ及び裏表紙Ｂは、それぞれヒンジ部ａ、ｂを介して背幅調節部１、２に一体的に設けられたもので、これら両表紙Ａ、Ｂを折り畳んだ際にヒンジ部ａ、ｂが屈曲することによって背幅調節部１、２が背表紙Ｃ側に回り込んだ位置に保持され得るようにしている。各背幅調節部１、２の内縁近傍における背幅方向と直交する方向（以下、背丈方向と称する）の端部近傍には、それぞれ取付機構４を適用するための貫通孔１１、２１が形成してあり、そのやや背丈方向中央よりには長孔状の貫通部１２、２２が、また各背幅調節部１、２の内縁１ｐ、２ｐ側のコーナー部には矩形状の切欠１３、２３がそれぞれ設けてある。
【００２７】
背板３は、背幅を最小に調整した図１の状態で背表紙Ｃの大きさを与える矩形状のもので、その内面に前記背幅調節部１、２をスライド可能に重合配置している。この背板３には、図２に示すように背丈方向の端部近傍に背幅方向に延びる対をなす段付の長孔３１が設けてあり、これらの長孔３１に対して背丈方向の中央よりには幅方向２箇所に取付孔３２が、また背丈方向の端部には内向き逆Ｌ字形に立ち上がった突片３３によって溝３３ａがそれぞれ形成されている。この溝３３ａには、背幅調節部１、２の切欠１３、２３の縁部が差し込まれて背幅調節部１、２の小口の見え掛かりを向上させ、同時に背幅調節部１、２と突片３３との干渉及び背幅調節部１、２の浮き上がりが防止される。
【００２８】
取付機構４は、図２、図４及び図５等に示すように、支持杆４１を背幅調節部１、２の貫通孔１１、２１に貫通させた状態で当該背幅調節部１、２を背板３に離脱しないように取り付けるもので、支持杆４１は雌リベット４１ａに雄リベット４１ｂを嵌め合わせて抜き外すことができないように構成され（図２参照）、かつ嵌め合わせた状態で雌リベット４１ａ及び雄リベット４１ｂの両鍔部間に一定の空隙が形成されるようにしている。そして、予め背幅調節部１、２の上方において背板３に対し所定距離を隔てて覆板４２を対向配置し、この覆板４２に前記長孔３１に対応する長孔４２ａを形成しておき、背幅調節部１、２に支持杆４１を貫通させた状態でそれらの鍔部をそれぞれ背板３及び覆板４２の長孔３１、４２ａにスライド可能に係り合わせている。すなわち、背幅調節部１、２は貫通孔１１、２１において支持杆４１と一体となって長孔３１、４２ａにより規制された範囲内で移動可能であり、その際に長孔３１、４２ａがガイド部となって支持杆４１をガイドするため、背板３に対する背幅調節部１、２の円滑な接離動作が誘導されるようにしている。
【００２９】
一方、綴じ具５は、図１及び図２等に示すように、一対の押さえ片５１をそれぞれベース部５２を介して対応する各背板調節部１、２の内縁１ｐ、２ｐ近傍かつ背丈方向中央部に取り付けてなる。ベース部５２は、通常の背幅一定タイプのファイルに付帯するベース部を半割にした構造のもので、各ベース部５２の外縁に軸受部５２ａを有しており、押さえ片５１の基端５１ａをベース部５２の軸受部５２ａに差し込むことにより回転軸ｍ回りに回転可能にするとともに、押さえ片５１に付帯して設けた操作部５１ｂを押圧操作することにより押さえ片５１の基端５１ａをベース部５２の軸受部５２ａから解離させ得るようにしている。かかる脱着構造自体は既に知られたものである。これらの押さえ片５１の一方には２本のパイプ５３が、また他方には２本の軸５４がそれぞれ突出させて設けてある。そして、通常は表表紙Ａ側の背幅調節部１に付帯する押さえ片５１をベース部５２から離脱させ、パイプ５３と軸５４とを解離した図３の状態から、これらのパイプ５３と軸５４とを嵌合させ、しかる後、両押さえ片５１を対面状態となるようにベース部５２に装着することにより、図３→図１４あるいは図９→図１５のように背幅調節部１、２の接離位置に応じた嵌合深さの綴じ杆５ｘを形成し得るようにしている。
【００３０】
以上の構成において、本実施形態は、前記背幅調節部１、２を所定の背幅位置に固定する固定具６を設けている。
【００３１】
この固定具６は、図２、図４及び図６等に示すように、前記取付機構４の覆板４２の縁部にヒンジ部６ａを介して回転可能に連ねて設けたプレート状のもので、下面に突起６１、６２を有しており、このうち突起６１の先端に前記背板３の取付孔３２の内段部３２ａに係り合い可能な取付爪６１ａを形成している。すなわち、取付機構４の覆板４２は常に背板３に対して一定位置に配置されるため、この固定具６は常に背板３の内面における所定取付位置に取り付けられるものである。突起６１には取付爪６１ａを係り合わせ或いは離脱させる際にヒンジ部６ａから離れる方向の撓み弾性が付与してあり、突起６２は背幅調節部１、２の位置ずれを実質的に規制する強度を有している。
【００３２】
すなわち、背幅調節部１、２を図３〜図５及び図８に示す最小背幅位置に縮幅して突起６１の取付爪６１ａを図７に示す背板３の取付孔３２に係り合わせた際には、突起６１、６２は図４並びに図６〜図８に示すように背幅調節部１（２）の貫通部１２（２２）に差し込まれて背幅調節部１（２）がその背幅位置に保持され、逆に背幅調節部１、２を図９〜図１１に示す最大背幅位置に拡幅して前記突起６１の取付爪６１ａを図１２に示す背板３の取付孔３２に係り合わせた際には、突起６１、６２は図１０、図１２及び図１３に示すように背幅調節部１（２）の内縁１ｐ（２ｐ）に係り合って背幅調節部１（２）がその背幅位置に保持されるようにしている。つまり、突起６１、６２は共通の関連部として機能し、背幅調節部１、２の内縁１ｐ、２ｐ及び貫通部１２、２２は被関連部として機能している。
【００３３】
なお、この固定具６は、ヒンジ部６ａによって係り合い位置から非係り合い位置に移動した図６の位置にクリックストップされ、覆板４２に対して起立した状態を保持するようになっている。
【００３４】
ところで、上記の構成のままだと、拡幅状態において、綴じ具５の綴じ杆５ｘを構成する軸５４が図１４→図１５に示すようにパイプ５３から拡幅寸法分だけ引き出された状態となり、このままではパイプ５３と軸５４の間に出来る段差が閲覧時に紙葉類を通過させる際の引っ掛かりになるとともに、強度的にも不十分となるのみならず、軸５４が付帯している側の押さえ片５１を抜き取って紙葉類の加除作業を行う際に、綴じ込んでいる紙葉類が多い場合にはパイプの長さが足りずに紙葉類が外れて散乱する事態が起こり得る。
【００３５】
そこで、本実施形態は、図３及び図９に示すように、背幅調節に伴って開閉する位置に格納空間Ｓを設け、この格納空間Ｓに延長パイプ５５を格納して、背幅を拡幅した際にその格納空間Ｓを開放して延長パイプ５５を取り出し得るようにしている。そして、その延長パイプ５５を既設パイプ５３に嵌合させることによって、図１６に示すように当該既設パイプ５３から突出する軸５４を延長パイプ５５で覆いつつ綴じ杆５ｘを延長できるようにしている。
【００３６】
格納空間Ｓは、ベース部５２と背板３の内面との間に形成されたもので、元々ベース部５２は外縁側に軸受５２ａ等の機構部を形成する関係上、中央部がせり上がった中空部５２ｘになっている。そこで、この中空部５２ａを利用し、対する背板３の内面に凹部３４を形成するとともに、背幅調節部１、２の内縁１ｐ、２ｐのうち凹部３４に対応する部位を切除して（図９における符合１ｒ、２ｒ参照）、中空部５２ｘと凹部３４との間に格納空間Ｓとして機能する空隙を確保している。凹部３４内には延長パイプ５５を係り合わせる挟持片３４ａが起立しており、この挟持片３４ａに図１７に示すように延長パイプ５５を嵌め込んで保持させることができるようにしている。勿論、この状態で左右のベース部５２の内縁同士を突き合わせた際には、ベース部５２は延長パイプ５５と干渉せずに格納空間Ｓの上方を覆うことができる。
【００３７】
一方、延長パイプ５５は、図１８に示すようにステンレス等の薄板鋼鈑を円筒状に塑性変形加工して、長手方向に延びる縁部間を開きつつ半径方向に弾性変形するように構成したもので、図１６及び図１８に示すように既設パイプ５３に対して拡幅寸法分だけ長く、且つやや大径に設けられて、半径方向に弾性的に拡径しながら既設パイプ５３に外嵌されるように設定している。
【００３８】
そして、既設パイプ５３の押さえ片側端部近傍に図９、図１８及び図１９（ａ）に示すような外向きに凹となる凹凸関連部５３ａを設けるとともに、延長パイプ５５の対応部位である嵌合始端側に内向きに凸となる凹凸関連部５５ａを設け、さらに延長パイプ５５の凹凸関連部５５ａ近傍に一部波形をなす変形誘発部５５ｂを形成し、この変形誘発部５５ｂによって当該凹凸関連部５５ａ及びその周辺部の半径方向への弾性変形を誘発するようにしている。
【００３９】
また、図１８に示す延長パイプ５５のうち既設パイプ５３と実質的に嵌合しない延長部分に、延長パイプ５５の内径を狭める狭窄部として、図１６、図１８及び図１９（ｂ）に示すように延長パイプ５５の長手方向に沿って延びる複数の内向きの突条５５ｃを外周等角位置に打設により設けている。
【００４０】
以上のように構成される本実施形態の綴じ具５は、一対の押さえ片５１の一方より突出させたパイプ５３と他方より突出させた軸５４とを嵌合させて背幅に応じた嵌合深さの綴じ杆５ｘを形成するパイプ式のものであり、背幅を拡幅させた状態で既設パイプ５３からの軸５４の突出部分を覆うように当該既設パイプ５３に延長パイプ５５を嵌合して綴じ杆５ｘを延長させるようにしたものである。
【００４１】
このような構成のものであると、延長パイプ５５を取り付けている間は綴じ杆５ｘが元の長さに戻ることがないので、背幅を拡幅し実質的な綴じ込み量を増大したファイルＦとして安定に使用することができる。この場合、延長パイプ５５を用いずとも既設パイプ５３から軸５４が突出した状態で一対の押さえ片５１，５１間の距離を固定具６により固定できれば綴じ杆５ｘの長さを一定に保持することは一応可能であるが、図１５のように綴じ杆５ｘの途中に段差ができると閲覧時に紙葉類が引っ掛かり易く、強度上も不十分となる傾向にある。これに対して、図１６に示すように軸５４を略確実に覆う状態で延長パイプ５５を一対の押さえ片５１，５１の間に亘らせるようにしているので、円滑な閲覧性を確保し、紙葉類の散乱も防止できると同時に、強度低下も有効に解消することができる。
【００４２】
また、この延長パイプ５５は、半径方向に弾性変形可能に設けられ、同方向に弾性的に拡径しながら既設パイプ５３に外嵌されるものであり、延長パイプ５５が既設パイプ５３の外周全体に密接に嵌合することになるので、既設パイプ５３と一体化して強度を有効に高めることができる。
【００４３】
その際、単に延長パイプ５５を既設パイプ５３に外嵌するだけでは、紙葉類の加除作業に伴って延長パイプ５５が引きずられて既設パイプ５３から外れる恐れがあるが、本実施形態では、延長パイプ５５の一部に凹凸関連部５５ａを設ける一方、嵌合位置における既設パイプ５３の対応部位に前記凹凸関連部５５ａと係り合い可能な凹凸関連部５３ａを設けているので、延長パイプ５５の外れ止め効果を有効に奏することができる。
【００４４】
具体的には、凹凸関連部５３ａは既設パイプ５３の押さえ片５１側の端部近傍に外向きに凹となる状態で設け、凹凸関連部５５ａは延長パイプ５５の対応部位である嵌合始端側に内向きに凸となる状態で設けてある。したがって、このままだと延長パイプ５５の凹凸関連部５５ａが既設パイプ５３の凹凸関連部５３ａの位置に到来するまでに既設パイプ５３の外周と干渉する距離が大きい。そこで、本実施形態は延長パイプ５５の凹凸関連部５５ａ近傍に、当該凹凸関連部５５ａ及びその周辺部の半径方向への弾性変形を容易にする変形誘発部５５ｂを形成している。このため、嵌合操作の途中で干渉によって抜き差しならない状態となることを有効に回避することができる。
【００４５】
さらに、単に延長パイプ５５を既設パイプ５３に外嵌するだけでは、延長パイプ５５の開口端に軸５４を挿入した直後に既設パイプ５３の端部に突き当たって作業がしにくい場合があるが、延長パイプ５５のうち既設パイプ５３と実質的に嵌合しない延長部分の内側に、延長パイプ５５の内径を狭める狭窄部５５ｃを設けているので、この狭窄部５５ｃによって既設パイプ５３の内空へと軸５４をガイドすることができ、作業の便を有効に向上させることができる。また、この狭窄部５５ｃによって既設パイプ５３との間で嵌合状態を形成し、或いは既設パイプ５３との間のクリアランスを小さくすることができるので、この部位の強度も有効に向上させることが可能となる。
【００４６】
より具体的には、狭窄部５５ｃが、延長パイプ５５の長手方向に沿って延びる複数の内向きの突条であり、外周側から打設することによって形成したものであるので、加工を簡単に行うことができ、また、表面には長手方向に延びる溝が円周方向に沿って形成されることになり、指で摘んで操作する際の滑り止めとしても活用することができる。
【００４７】
さらに、延長パイプ５５は薄板鋼鈑を円筒状に塑性変形加工したものであり、長手方向に沿った縁部間を開きつつ弾性変形するように構成しているので、延長パイプ５５に強度を保ちつつ半径方向の弾性を簡単、的確に付与することができる。
【００４８】
しかして、本実施形態のファイルＦは、表表紙Ａ及び裏表紙Ｂの内縁に一対の背幅調節部１，２を連設し、これらの背幅調節部１，２を接離方向に沿って背板３にスライド可能に配置することにより異なる背幅位置をとらしめるように構成するとともに、ベース部５２を介して一対の押さえ片５１を、各々対応する背幅調節部１，２に少なくとも一方の押さえ片５１が着脱可能であるように取り付け、これらの押さえ片５１の一方より突出させたパイプ５３と他方より突出させた軸５４とを嵌合させて背幅に応じた嵌合深さの綴じ杆を形成するようにしたパイプ式の綴じ具５を備えるものである。そして、背幅調節１，２に伴って開閉する位置に格納空間Ｓを設け、この格納空間Ｓに既設パイプ５３に嵌合することによって綴じ杆５ｘを延長し得る上記延長パイプ５５を格納して、背幅を拡幅した際にその格納空間Ｓを開放して延長パイプ５５を取り出し得るようにしている。
【００４９】
すなわち、延長パイプ５５を取り付けた場合、綴じ杆５ｘが元の長さに戻ることがないので、背幅を拡幅して実質的な綴じ込み量を増大したファイルＦとして安定に使用することができる。延長パイプ５５を用いずとも既設パイプ５３から軸５４が突出した状態で背幅調節部１，２を固定すれば綴じ杆５ｘの長さを一定に保持することができるが、綴じ杆の途中に段差ができると強度上不十分となり易い点は前述したところである。これに対して、本実施形態のように軸５４を確実に覆う状態で延長パイプ５５を一対の押さえ片５１，５１間に亘らせれば、強度低下も有効に防止することができる。そして、予め多くの紙葉類の綴じ込みが予定される場合にも、綴じ込み量が少ない間は背幅を幅狭に調整しておけば棚等の保管場所に多くのデッドスペースが生じることを有効に解消することができ、拡幅する際には背幅調節部１，２をスライドさせることによって格納空間Ｓから延長パイプ５５を取り出して速やかに作業を行うことができるので、使い勝手にも優れたものとなる。
【００５０】
さらに、本実施形態では背幅調節部１，２の背板３に対する可動範囲を規制しており、図９の拡幅状態でパイプ５３に延長パイプ５５を取り付けて、当該延長パイプ５５を設けた押さえ片５１とベース部５２との間に存する回転軸ｍ回りに全体を回転させたときに、綴じ杆５ｘが一定の寸法に保たれるため回転軌跡は一定した円弧を描き、その回転軌跡上において軸５４が設けられた押さえ片５１が自然と最大拡幅位置にあるベース部５２に装着されるので、押さえ片５１と対応する背幅調節部１のベース部５２との位置合わせをする必要がない。このため、上記の作業を極めて簡易に行うことが可能となる。勿論、この状態において、背幅調節部１，２は最大拡幅位置からの移動が綴じ杆５ｘによって禁止されるので、ファイルＦの背幅は常に一定に保持されることとなる。
【００５１】
加えて、本実施形態は固定具６を用いて拡幅位置にある背幅調節部１，２を背板３に固定するようにしているので、所要の背幅位置におけるファイルＦの安定度を更に向上させることができる。しかも、この固定具６の固定箇所に応じて延長パイプ５５を複数本用意することも可能であり、これによれば拡幅位置を複数箇所に設定して、多段拡幅機能を備えたファイルも容易に構成することが可能となる。
【００５２】
なお、各部の具体的な構成は、上述した実施形態のみに限定されるものではない。
【００５３】
例えば、図２０に示すように、既設パイプ５３のうち押さえ片５１とは反対側の端部近傍に外向きに凹となる凹凸関連部１５３ａを設けるとともに、延長パイプ５５の対応部位である嵌合終端部位に内向きに凸となる凹凸関連部１５５ａを設け、この凹凸関連部１５５ａが延長パイプ５５に備わる本来の弾性変形によって既設パイプ５３の凹凸関連部１５３ａに係り合うように構成してもよい。
【００５４】
すなわち、延長パイプ５５の内向きに凸となる凹凸関連部１５５ａは嵌合終端付近でのみ既設パイプ５３の外周と干渉し、それに至るまでに凹凸関連部１５５ａと既設パイプ５３との干渉はないため、上記のような変形誘発部を特に設けずとも嵌合操作に不都合はないものとなり、かつ所要の外れ止め効果を得ることができる。なお、既設パイプ５３の先端側から紙葉類の加除操作を行う際には、上記実施形態のように既設パイプ５３の基端側に凹凸関連部が存する方が、綴じ込み量が一定以上の場合に紙葉類の通過を回避できるので、紙葉類が凹凸関連部に引っ掛かる事態はより的確に回避できるものとなる。
【００５５】
或いは、図２１に示すように、既設パイプ５３のうち押さえ片５１とは反対側の端部近傍に鈎型の切欠からなる凹凸関連部２５３ａを設けるとともに、延長パイプ５５の対応部位である嵌合終端部位に上記と同様の内向きに凸となる凹凸関連部２５５ａを設け、延長パイプ５５を差し込んだ後に円周方向に回転させることによって、その凹凸関連部２５５ａが既設パイプ５３の鉤型をなす凹凸関連部２５３ａに係り合うように構成することも有効である。
【００５６】
すなわち、既設パイプ５３に上記のような鉤型の切欠からなる凹凸関連部２５３ａを設けても、端部付近のみであれば既設パイプ５３の強度低下に殆ど影響はない。そして、これに対して延長パイプ５５の凹凸関連部２５５ａを差し込んで回転させることにより関連位置に引き込むようにすれば、延長パイプ５５は既設パイプ５３に弾性嵌合する点、紙葉類の加除操作時に延長パイプ５５に円周方向の力は殆ど作用しない点などを踏まえれば、着脱容易性を確保しつつ、延長パイプ５５の有効な外れ止め効果を期待できるものとなる。
【００５７】
その他の構成も、本発明の趣旨を逸脱しない範囲で種々変形が可能である。
【図面の簡単な説明】
【００５８】
【図１】本発明の一実施形態に係るファイルの斜視図。
【図２】同分解斜視図。
【図３】同ファイルの背幅調節機能を縮幅状態において示す斜視図。
【図４】取付機構及び固定具の縮幅時の状態を示す平面図。
【図５】図４におけるＡ−Ａ線断面図。
【図６】図４におけるＢ−Ｂ線断面図。
【図７】図６に対応した作用説明図。
【図８】図４におけるＣ−Ｃ線断面図。
【図９】同ファイルの背幅調節機能を拡幅状態において示す斜視図。
【図１０】取付機構及び固定具の拡幅時の状態を示す平面図。
【図１１】図９におけるＤ−Ｄ線断面図。
【図１２】図９におけるＥ−Ｅ線断面図。
【図１３】図９におけるＦ−Ｆ線断面図。
【図１４】同実施形態の綴じ杆を縮幅状態において示す図。
【図１５】同実施形態の綴じ杆を拡幅状態において示す図。
【図１６】同実施形態の綴じ杆に延長パイプを適用した図。
【図１７】同実施形態における格納空間を示す断面図。
【図１８】同実施形態の延長パイプを示す図。
【図１９】図１８の延長パイプの拡大断面図。
【図２０】本発明の変形例を示す図１８に対応した図。
【図２１】本発明の他の変形例を示す図１８に対応した図。
【符号の説明】
【００５９】
１、２…背幅調節部
３…背板
５…綴じ具
５ｘ…綴じ杆
５１…押さえ片
５２…ベース部
５３…パイプ
５３ａ、１５３ａ、２５３ａ…凹凸関連部（既設パイプ側）
５４…軸
５５…延長パイプ
５５ａ、１５５ａ、２５５ａ…凹凸関連部（延長パイプ側）
５５ｂ…変形誘発部
５５ｃ…狭窄部
Ａ…表表紙
Ｂ…裏表紙
Ｃ…背表紙
ｍ…回転軸
Ｓ…格納空間
【図１】
2008044157.tif 000003
【図２】
2008044157.tif 000004
【図３】
2008044157.tif 000005
【図４】
2008044157.tif 000006
【図５】
2008044157.tif 000007
【図６】
2008044157.tif 000008
【図７】
2008044157.tif 000009
【図８】
2008044157.tif 000010
【図９】
2008044157.tif 000011
【図１０】
2008044157.tif 000012
【図１１】
2008044157.tif 000013
【図１２】
2008044157.tif 000014
【図１３】
2008044157.tif 000015
【図１４】
2008044157.tif 000016
【図１５】
2008044157.tif 000017
【図１６】
2008044157.tif 000018
【図１７】
2008044157.tif 000019
【図１８】
2008044157.tif 000020
【図１９】
2008044157.tif 000021
【図２０】
2008044157.tif 000022
【図２１】
2008044157.tif 000023